(57)【要約】【課題】  ワークを部分メッキするに当って、ワークのメッキ層が形成されない部位を、ワークに対して非接触状態でマスクでき、極めて品質の高い部分メッキを施すことができるようにする。【解決手段】  ハンガー１０に開口２３を有するシールド部材２０を連結して設け、ハンガー１０の支持杆１３にピストン１を支持させると共に、４本の電極杆１５の電極部１５ａで位置決めすることによって、ピストン１をシールド部材２０の開口２３にピストン１のうち部分メッキが施される摺動面３ａを対面させ、かつピストン１の外面とシールド部材２０の内面との間に微小間隔を空けた状態にしてメッキ槽３１内でメッキを行う。【選択図】      図８
2004190128.tif 000002
【特許請求の範囲】
【請求項１】
ワーク表面に部分的にメッキ層を形成する方法であって、
陰極に接続したワーク表面のうち、メッキを施さない領域の全体にわたって、ほぼ一定の微小隙間を空けてシールド部材を対向配設させて、このシールド部材の外側位置となるように陽極を配設したメッキ槽内に浸漬させて、
両電極間に所定の電流を流すことによって、ワークの表面のうち、シールド部材により覆われていない部位に限定してメッキを行なうこと
ことを特徴とする部分メッキ方法。
【請求項２】
前記シールド部材はハンガーに固定的に設けられており、このシールド部材により囲繞されるように前記ワークを挿入して、前記ハンガーに設けた支持部に支持させ、前記陰極はこのハンガーを介して前記ワークに接続することを特徴とする請求項１記載の部分メッキ方法。
【請求項３】
前記ワークの表面に対してメッキを行う前の段階で、前記ハンガーに前記ワーク及び前記シールド部材を装着し、メッキを行った後に、ワーク及びシールド部材を前記ハンガーから取り外すことを特徴とする請求項１記載の部分メッキ方法。
【請求項４】
前記メッキ槽内の前記陽極を概略平行に設けた一対の陽極板で形成し、前記ワークと前記シールド部材とのアセンブリをこの陽極板の板面に対して概略平行な方向に向けて傾けるようにして浸漬させることを特徴とする請求項１乃至請求項３のいずれかに記載の部分メッキ方法。
【請求項５】
ワーク表面に部分的にメッキ層を形成する装置において、
前記ワーク表面のうち、メッキを施さない領域には、このワークに接続した陰極とメッキ槽内に設置した陽極との間に、前記ワークに対して非接触状態であり、かつこのワークに対してほぼ一定の微小隙間が形成されるようにシールド部材を配置する
構成としたことを特徴とする部分メッキ装置。
【請求項６】
前記シールド部材は電気絶縁物からなることを特徴とする請求項５記載の部分メッキ装置。
【請求項７】
前記シールド部材はハンガーに固定的に取り付けられており、前記ワークはこのハンガーの前記シールド部材の内側に装着する構成としたことを特徴とする請求項５記載の部分メッキ装置。
【請求項８】
前記ハンガーは陰極部材に係脱可能なフックを有する杆状のハンガー本体と、このハンガー本体に設けたワーク支持部及びワーク位置決め部とを備え、これらハンガー本体、ワーク支持部及びワーク位置決め部の外面は電気絶縁を有する部材で覆われており、前記陰極部材とワークに接続される電極部との間を導電部材で接続する構成としたことを特徴とする請求項５記載の部分メッキ装置。
【請求項９】
前記ワーク及び前記シールド部材は前記ハンガーに着脱可能に装着されるものであり、このハンガーは、前記ワークを支持する第１の支持部と、前記シールド部材を支持する第２の支持部と、前記第１の支持部を介して陰極部材に係脱可能なフックを有するハンガー本体に設ける構成としたことを特徴とする請求項５記載の部分メッキ装置。
【請求項１０】
前記メッキ槽内に設けられる前記陽極は、概略平行に配置した一対の陽極板からなり、前記ハンガーに装着される前記ワーク及び前記シールド部材は、この陽極板の板面と平行な方向に向けて傾ける構成としたことを特徴とする請求項５記載の部分メッキ装置。
【請求項１１】
前記ワークは概略円筒形状のものであり、前記シールド部材の内径は、メッキを施さない領域と対面する部位は前記ワークの外径に対して微小隙間が形成される小径部となり、かつメッキが施される領域は前記ワークの外径に対して広い隙間が形成される大径部となし、かつこの大径部において、そのメッキの見切り線位置乃至その近傍位置までに前記各陽極板と対面する開口を形成する構成としたことを特徴とする請求項１０記載の部分メッキ装置。
【請求項１２】
前記ワークの表面と前記シールド部材と間に形成される微小隙間の間隔は５ｍｍ以下とする構成としたことを特徴とする請求項５記載の部分メッキ装置。
【発明の詳細な説明】
【技術分野】
【０００１】
本発明は、ワークの表面の一部に摺動性の向上、耐摩耗性の向上等、所定の機能を付与するためのメッキ層を形成し、残余の部分にメッキが付着しないようにするための部分メッキ方法及び装置に関するものである。
【背景技術】
【０００２】
例えば、シリンダ内を摺動するピストンとして、軽量化等の点から、母材としては、アルミニウムやアルミニウム合金等で形成し、このピストンの外面に摺動性及び耐磨耗性を改善するために、Ｆｅ，Ｆｅ−Ｃｒ合金，Ｃｒ，Ｎｉ等の電解メッキを施すようにしたものは、例えば特許文献１等により従来から知られている。
【０００３】
ここで、ピストンにはシリンダ内面に対して摺動する部位と、シール部材が装着される部位とを有している。シール部材を装着するために、ピストンの外周面には１乃至複数箇所に円環状の溝が形成されて、シール部材をこの円環状の溝により保持させるようにしており、ピストンのこの部分はシリンダの内面とは接触させない。従って、シール部材が装着される部位には必ずしもメッキを施す必要はなく、むしろ溝が形成されて凹凸形状となっているために、この部位をメッキすると、部分的に電流密度が変化して、メッキの膜厚が均一にならない等、表面状態が変化する。従って、シール部材の装着部等は精密加工を施して、表面状態を維持する必要がある。以上のことから、耐摩耗性等を改善するためのメッキはピストンの外周面において、摺動面の部位に限定し、シール部材が装着される部位等はメッキが施さないようにしなければならない。
【０００４】
このために、例えばワークの表面にマスキングテープ等を貼り付けて、メッキを施さない部位をマスキングして、メッキ槽に浸漬させることによって、ワークの表面の一部に限定して所定の膜厚のメッキ層を形成するのが一般的である。そして、メッキ処理を行った後に、マスキングテープをワーク表面から剥離することによって、ワークに対して部分メッキが施される。
【特許文献１】特開２００１−４１００８号公報
【発明の開示】
【発明が解決しようとする課題】
【０００５】
ところで、メッキを行なう前処理としては、脱脂工程、酸洗工程、アルカリエッチング工程、酸活性工程、亜鉛置換工程等があり、これら各工程間には水洗工程が加わる。このために、メッキ槽に加えて、前述した各工程のための処理液を充填した処理液槽を配置し、これらの各槽に順次ワークを浸漬させる。そして、ワークに対して部分メッキを行なうために、ワーク表面へのマスキングテープの貼り付けは、当然、メッキの前処理工程に入る前の段階で行なわれることになり、マスキングした状態でワークを各前処理液槽に順次浸漬させるようにする。従って、マスキングテープも処理液内に浸漬されることになり、このマスキングテープにも処理液が付着するが、前述した各前処理工程の後における水洗工程では、マスキングテープに付着した処理液は洗い流されることになる。
【０００６】
マスキングテープが貼り付けられている部位とワークの表面が露出している部位との境界部分には段差があるために、この段差のコーナー部には処理液が滞留することになり、水洗工程ではこのコーナー部に残留した処理液を完全に除去できないまま滞留することがある。この状態でワークがメッキ槽に導入されると、ワークに対するメッキ処理が終了して、ワークを乾燥させたときに、ワーク表面におけるメッキ層を形成した領域とメッキされない領域との境界部に処理液の乾燥物がこびりついてしまい、部分的に形成したメッキ層の境界部に不純物の筋が残ることになり、外観が損なわれるだけでなく、その部分から腐食が発生する等、構造的な面でも問題となる。
【０００７】
また、マスキングテープを貼り付けたり、剥離したりする作業は面倒であり、時間と手間がかかるという問題点があり、さらにはマスキングテープの貼り付け方によってはメッキ層の境界ラインが乱れる可能性もある。さらにまた、メッキ層の形成部とマスキングテープを剥離した部位との間に段差が生じることになって、他の物体と衝突したとき等に、メッキ層が部分的に破壊されたり、剥離されたりする可能性もないとは言えない。しかも、部分メッキの境界部に凹凸等が存在する形状となっている場合には、マスキングテープを貼り付けることができない場合もある。
【０００８】
本発明は以上の点に鑑みてなされたものであって、その目的とするところは、ワークを部分メッキするに当って、ワークのメッキ層が形成されない部位を、ワークに対して非接触状態でマスクでき、もって精度の高いメッキ品を形成できるようにすることにある。
【課題を解決するための手段】
【０００９】
前述した目的を達成するために、本発明におけるワーク表面に部分的にメッキ層を形成する方法は、陰極に接続したワーク表面のうち、メッキを施さない領域の全体にわたって、ほぼ一定の微小隙間を空けてシールド部材を対向配設させて、このシールド部材の外側位置となるように陽極を配設したメッキ槽内に浸漬させて、両電極間に所定の電流を流すことによって、ワークの表面のうち、シールド部材により覆われていない部位に限定してメッキを行なうことをその特徴とするものである。
【００１０】
また、本発明における部分メッキ装置は、ワーク表面のうち、メッキを施さない領域に、このワークに接続した陰極とメッキ槽内に設置した陽極との間に、ワークに対して非接触状態であり、かつこのワークに対してほぼ一定の微小隙間が形成されるようにシールド部材を配置する構成としたことをその特徴とするものである。
【００１１】
電解液中に陽極と陰極とを平行に配置して、これら陽極と陰極との間に電流を流すと、陰極側にメッキ層が積層される。陽極と陰極との間の電流密度が一定であれば、均一な厚みのメッキ層が形成される。また、陽極と陰極との間に遮蔽物を配置すると、電流はこの遮蔽物を迂回するようにして流れる。そして、陰極を遮蔽物で部分的に覆うと、遮蔽物に対面する部位と陽極と直接対面する部位とでは電流密度が異なってくる。遮蔽物を陰極側に接近させると、陰極側には部分的に電流が流れない部位が生じる。遮蔽物と陰極との間隔を、例えば数ｍｍ程度というように、微小空間を介して対面させると、陰極の遮蔽領域の端部では、その外側から内側に向けてメッキ層の厚みが連続的に減少することになり、遮蔽物の内側におけるある位置からは全くメッキの付着がない領域が形成される。
【００１２】
ワークにおけるメッキ層を形成する部位を露出させておき、メッキ層を形成しない部位を遮蔽するために、ワークに対して微小隙間を介してシールド部材を配置する。しかも、シールド部材をワークに対して非接触状態に保持する。これによって、前処理工程において、ワークを所定の処理液槽に浸漬させた後、このワークを処理液槽から引き上げると、処理液はほぼ完全に処理液槽内に流下することになり、また水洗槽に浸漬させることによって、処理液を完全に除去できる。従って、ワークの表面には処理液等の不純物が全く付着しない状態でメッキ槽に導入することができる。
【００１３】
メッキ槽内において、ワークを陰極とし、メッキ液中でこのワークに陽極を対向配置して、これら陽極と陰極との間に電流を流すことによって、ワークの表面にメッキ層が形成される。ワークの一部はシールド部材により覆われており、かつシールド部材とワークとの間には均一な微小空間が形成される。従って、ワークの表面において、シールド部材で覆われている部位と表面が露出している部位との境界部の内外において、所定の幅に及ぶように連続的にメッキ厚が減少する移行域が形成され、かつこの移行域より内側の部位は、メッキ液に浸漬されているにも拘らず、メッキされることはない。これによって、ワークに対して必要な部位のみに部分メッキを行なうことができる。シールド部材は、ワークのメッキ領域との関係に応じて適宜の形状とする。例えば、メッキ領域と非メッキ領域とが上下、若しくは左右に分かれるときには、非メッキ領域と対面する部位にシールド部材を対向配置する。ワークの全表面のうち、限られた領域だけに部分メッキを行なう場合には、シールド部材には部分メッキされる部位に対応する開口を形成する。
【００１４】
遮蔽用のシールド部材とワークとの間の間隔を広げると、メッキの移行域の幅が広くなり、メッキを施すべきではない部位まで及ぶ可能性がある。一方、この間隔が１ｍｍ以下というように極微細なものとすれば、移行域は実質的にライン状となる。ただし、シールド部材とワークとの間隔が小さければ小さい程、シールド部材とワークとの間により正確な調芯性が必要となり、またワークの着脱が困難になる。勿論、精度の高い部分メッキを行なう必要がある場合には、ワークとシールド部材との間隔をより微小なものとする。シールド部材はワークと接触しないように保持する。ただし、前段階における処理液を完全に洗い落とすことができるように水洗できれば、シールド部材とワークとが部分的に接触していても良い。
【００１５】
具体的には、シールド部材とワークとの間隔が５ｍｍより広くすると、部分メッキの移行域が広くなりすぎる。従って、シールド部材とワークとの間隔は、好ましくは５ｍｍ以下とし、より好ましくは２〜５ｍｍとする。
【００１６】
シールド部材が必要なのはメッキ槽内だけであるから、メッキ槽内にシールド部材を設置しておき、ワークがこのメッキ槽内に導入されたときに、このワークの表面をシールド部材で覆うようにすることもできるが、メッキを行なうに当っては、多段の前処理が行われ、しかも前処理の終了後に直ちにメッキ槽にワークを浸漬させるのが一般的である。このために、ワークをハンガーに支持させて、このハンガーを搬送手段により各前処理工程等におけるそれぞれの槽内に順送りに浸漬させる構成とするのが一般的である。このように、ワークをハンガーに支持させて、前工程における複数の処理液槽を経てメッキ槽に導入し、さらにメッキ槽から水洗槽等の後工程に送り込んで順次工程を経る上で、ハンガーを引き上げる際に、このハンガー及びワーク、さらにはシールド部材における液切れを良好にしなければ、後続の槽に液が持ち込まれて、槽内の処理液やメッキ液等が汚損されてしまう。従って、ハンガーを引き上げる際に、ハンガー，ワーク及びシールド部材からの排液を良好となし、液の次槽への持込を阻止しなければならない。このためには、ワーク及びシールド部材を傾けた状態にして各槽に浸漬させるようにすれば良い。そうすると、ハンガーを引き上げたときに、処理液やメッキ液等はほぼ完全に当該の槽内に流下して、次槽に持ち出すことはない。
【００１７】
シールド部材はハンガーに固定的に設けても良く、また着脱可能に設けるように構成することもできる。いずれにしろ、ワークはハンガーに対して所定の位置に装着することによって、シールド部材によるマスク機能が十分に発揮される。メッキが終了した後にワークをハンガーから取り出して、新たなワークを再装着でき、つまりワークをハンガーに着脱するだけで、このワークにマスキングテープを貼り付けたり、剥離したりする等の作業を必要としない。
【００１８】
ワークをハンガーに装着して前処理工程の開始から最終工程の終了までの全搬送経路を搬送する方が望ましい。このためには、ハンガーにはワークへの接触部を設けて、メッキ槽に導入されたときに、この接触部を陰極と電通可能な状態とし、メッキ槽内に浸漬させたときにのみ陰極に通電することができる。従って、ハンガーを導電部材で形成すると共に棒状の部材を導電性部材から構成して、メッキ槽外に設けた陰極と接続するという構成が可能になる。このワークへの接触部は、例えばフック等、ワークを保持する部材と兼用させる。また、シールド部材は通電されるハンガーに対して電気的に絶縁されておれば、シールド部材を導電部材で形成しても良いが、シールド部材は電気絶縁性を有するものとするのが望ましい。
【００１９】
ワークの形状は格別限定されない。平板状であっても、角柱状、円柱状、円筒状、楕円形状等を含めて様々な形状のワークにも必要な部分に限定してメッキを施すことができる。さらに、ワーク表面に凹凸があり、この凹凸部にメッキ層の境界部を形成することもできる。いずれにしろ、非メッキ領域では、ワークとシールド部材との間の隙間は微小であり、かつ隙間管理を厳格に行なわなければならない。このために、ワークとシールド部材との間の調芯性の確保が要求され、かつ搬送中にこれらワークとシールド部材とが位置ずれ等が生じないように、安定的に保持させなければならない。さらには、メッキが行われた後に、ワークを取り出して、新たなワークを装着する必要がある。
【００２０】
ワークとシールド部材との間の調芯性を重視すれば、シールド部材をハンガーに固定的に支持させ、ワークをハンガーに対して位置調整を行なうようにするのが望ましい。一方、ワークのハンガーへの着脱を容易に行なうようにするには、ワーク及びシールド部材は共にハンガーに対して着脱できるように支持させる。そして、メッキ処理が完了した後には、ハンガーからシールド部材及びワークを取り出して、ハンガーには新たなワークを支持させるが、さらにこれらワークとシールド部材との間を調芯する。ワークとシールド部材との間を調芯するようにしても良いが、ワーク及びシールド部材をハンガーに対して調芯しても良い。
【００２１】
シールド部材は、要は、メッキを施さない部位の全体を覆っておれば良い。従って、シールド部材は必ずしも単一の部材で構成する必要はなく、分割タイプのものであっても良い。例えば、シールド部材をハンガーに対して左右に分割可能なもので構成し、ワークをハンガーに装着する際には、シールド部材を開いた状態となし、ワーク装着後にシールド部材を閉じることによって、ワークにおけるメッキを施さない部位を完全に覆えるようにすることも可能である。
【発明の効果】
【００２２】
本発明によれば、ワークを部分メッキするに当って、ワークのメッキ層が形成されない部位を、ワークに対して非接触状態でマスクでき、極めて品質の高い部分メッキを施すことができる等の優れた効果を有する。
【発明を実施するための最良の形態】
【００２３】
まず、図１に示したように、メッキされる部材として、平板状の金属板（例えばアルミニウム板）Ｗに、この金属板Ｗのメッキ形成面にシールド部材Ｓを対向配設する。このシールド部材Ｓは電気絶縁部材からなる所定の幅（３０ｍｍ以上）を有し、また厚みを一定のものとする。このシールド部材Ｓの一端を金属板Ｗに固定して、垂直に立ち上げて金属板Ｗに対して所定の間隔、例えば２０ｍｍ離間させる。そして、これを最大間隔位置として、金属板Ｗに接触する位置まで連続的に隙間が減少するように傾斜させ、最終的には金属板Ｗに固定するようにして組み付けた試料Ｐを形成する。なお、図１において、シールド部材Ｓの立ち上がり方向に示した数値は金属板Ｗとシールド部材Ｓとの間隔を意味するものである。また、これと直交する方向の目盛りは、シールド部材Ｓの端部から外側及び内側における距離である。目盛りは５ｍｍ刻みとなっている。
【００２４】
電解液の種類、陽極板からの距離、電流密度、温度、電解液への浸漬時間等からなるメッキ条件を設定して、この試料Ｐにおける金属板Ｗに陰極を接続して、試料Ｐを陽極板に対面させてメッキを行なった。
【００２５】
その結果を図２に示す。同図から明らかなように、メッキすべき金属板Ｗとシールド部材Ｓとの間隔に応じてメッキ領域が変化する。間隔が２０ｍｍの位置では、同図に線Ａで示したように、シールド部材で覆われている部位の内部に２０ｍｍ入り込んだ位置であっても、シールド部材で覆われていない部位のメッキ層における厚みに対して約２０％程度の厚みのメッキが形成される。そして、同図に線Ｂで示したのは間隔が１５ｍｍの位置であり、この位置ではシールド部材Ｓで覆われている部位の内部に２０ｍｍ入り込んだ位置ではほぼ数％のメッキしか形成されない。さらに、間隔が１０ｍｍとなった位置では、同図に線Ｃで示したように、金属板Ｗのうちシールド部材Ｓで覆われている部位の内側２０ｍｍにまではメッキが及ばない。さらにまた、同図に線Ｄで示したように、シールド部材Ｓと金属板Ｗとの間隔が５ｍｍになると、シールド部材Ｓの境界部外における５ｍｍ程度の位置からメッキ層の厚みが減少し、シールド部材Ｓの境界部内における５ｍｍでは殆どメッキが付着しなくなる。さらに、同図に線Ｅで示したように、間隔を２．５ｍｍにまで狭まった位置では、シールド部材Ｓの境界部における外側の５ｍｍから急激にメッキ層の厚みが減少し、境界部の内部５ｍｍで全くメッキ層が形成されなくなる。
【００２６】
以上のことから、シールド部材Ｓと金属板Ｗとの間隔を５ｍｍ以下とすれば、その間を非接触状態に保っても部分メッキが可能になる。より好ましくはその間の間隔を概略２．５ｍｍとし、金属板Ｗへのメッキ厚を１５μｍ程度にすると、メッキが施されるべき部位からメッキを施さない部位への移行部が約１０ｍｍ程度のものとなり、しかもこの移行部では連続的にメッキ層の厚みが減少していくことになる。
【実施例１】
【００２７】
以下、図３乃至図１０に基づいて本発明の第１の実施例を説明する。なお、以下の説明においては、自動車用のレシプロエンジンにおいて、シリンダ内を摺動するピストンをワークとして、このピストンにおけるシリンダとの摺動面部に限定して部分メッキを行なうものとして説明する。ただし、本発明のワークはこれに限定されるものではないことは言うまでもない。
【００２８】
図３乃至図６にピストン１の構成を示す。図中において、ピストン１は概略有蓋円筒形状となったピストンクラウン２と、スカート部３と、ピストンピン（図示せず）が取り付けられるボス部４とを有する構成となっている。ピストンクラウン２における外周面には円環状のピストンリング溝５が上下方向に複数設けられており、これらピストンリング溝５にはピストンリングが装着される。ピストン１はシリンダ内を往復動するものであり、その結果ボス部４に取り付けたピストンピンに連結したコンロッドが上下動することになる。
【００２９】
前述したピストン１のうち、シリンダと摺動するのは、ピストンリング溝５に装着したピストンリングと、スカート部３とである。つまり、ピストン１の本体部分における摺動面はスカート部３のみである。しかも、摺動抵抗を低減させるために、図４に示したように、スカート部３におけるシリンダ内壁との摺動面３ａはボス部４を挟んだ両側における所定の角度分となっている。
【００３０】
ピストン１の軽量化を図るために、その素材そのものはアルミニウムやアルミニウム合金等から構成されており、スカート部３における摺動面３ａの部位には、摺動性及び耐磨耗性の向上を図るために、鉄メッキ（または鉄クロム合金メッキ）が施される。ただし、ボス部４にはピストンピンが挿入されるものであり、またピストンクラウン２におけるピストンリング溝５が形成され、いずれも複雑な凹凸形状となっていることから、これらの部位の仕上げ加工精度を維持するために、メッキを施さないようにする。つまり、ピストン１においては、摺動面３ａに限定した部分メッキが施されるようになっている。ピストン１に対して部分メッキを施すために、メッキを行なわない部位はマスクされる。このように、ピストン１を部分メッキするために、例えば図５乃至図８に示したハンガー１０が用いられる。
【００３１】
ハンガー１０は、図７に示したように、ハンガー本体１１を有し、このハンガー本体１１の先端部は、後述するように給電用の接点を兼ねるフック部１２となっている。このフック１２は搬送手段に設けられ、ピッチ送り及び昇降動作を繰り返し行うロッド３０（図９参照）に掛着されて、前処理を行なう各槽からメッキ槽及び後処理槽に順次搬送されるようになっている。ハンガー本体１１は、概略下方に延在させた鉛直杆部１１ａの下端部を概略９０°曲成した支持部１１ｂとから構成される。ただし、ピストンクラウン２には溝等が設けられている関係から、各槽における処理液やメッキ液等の持ち出しが生じる可能性がある。この液の持ち出しを防止するために、ピストン１を多少傾けた状態に保持する方が望ましい。このためには、フック部１２をロッド３０に掛着したときに、ハンガー本体１１がある程度傾くようにするか、または鉛直杆部１１ａと支持部１１ｂとの間に多少の角度を付ける等とすれば良い。そして、このハンガー本体１１は導電性を有する金属からなり、その外周部は合成樹脂等からなる絶縁チューブ１３で覆われている。
【００３２】
ハンガー本体１１における支持部１１ｂにはピストン１のピストンクラウン２の下面と当接する支持杆１４が立設されている。この支持杆１４は好ましくは電気絶縁性を有する杆状の部材で形成され、ピストン１の荷重を受承するためのものである。また、支持部１１ｂにおいて支持杆１４を立設した部位の前後位置には、所定の長さ分だけ左右に延在されて、上方に向けて概略９０°曲成された電極杆１５が４本設けられている。電極杆１５の基端部はハンガー本体１１に連結されて、このハンガー本体１１と電気的に導通し得る状態となっている。電極杆１５は、その先端部分を残して絶縁チューブ１３で覆われており、先端部は露出して、この露出部分はそれぞれ円弧状に曲成した電極部１５ａとなっており、またこれら電極部１５ａはばね性を有している。
【００３３】
ハンガー１０にピストン１を装着すると、その支持杆１４はピストンクラウン２の下面に当接して、ピストン１の荷重が受承される。また、電極杆１５の電極部１５ａの高さ位置は支持杆１３の先端部より低い位置にあって、各電極杆１５はピストン１におけるスカート部３の内面と当接するようになっている。しかも、４箇所設けた電極部１５ａは、図４に矢印で示したように、スカート部３における摺動面３ａが形成されて円弧状となっている部位からボス部４を設けた部位への移行部の内面における形状変化部であって、その内面に対して所定の付勢力が作用するようにして当接するようになっている。なお、電極部１５ａをピストン１の外周面側に当接させる場合には、図６に▲で示した位置に当接させるのが望ましい。これによって、電極部１５ａはピストン１の内面に圧接されることになり、もってピストン１を安定的に保持し、かつこのピストン１を位置決めすることができる。
【００３４】
さらに、図８に示したように、ハンガー本体１１における鉛直杆部１１ａには、その絶縁チューブ１３の外周部にシールド部材２０が取り付けられている。シールド部材２０は、上下２つの円筒部２１，２２から構成されており、上部側の円筒部２１は下部側の円筒部２２に所定長さ嵌合されて、接着等の手段で固定されている。ここで、シールド部材２０を上下に分割したのは、その内部にピストン１を装着したときに、左右に設けたスカート部３における摺動面３ａを露出させるための開口２３が形成され、この摺動面３ａ以外を覆うようにマスクするためのものである。従って、シールド部材２０は必ずしも上下に分割する必要はなく、単一の円筒部材の周胴部に開口を形成するようにしても良い。シールド部材２０の外面には概略Ｔ字形状とした連結部材２４が延在されており、この連結部材２４はハンガー本体１１を覆うように設けた絶縁チューブ１３を挟んでクランプ板２５と接合されて、複数のねじ２６で連結状態に固定される。ここで、シールド部材２０は少なくとも絶縁チューブ１３によりハンガー本体１１とは電気的に絶縁されているので、その材料は限定されないが、合成樹脂による成形品を用いるのが望ましい。
【００３５】
ところで、ピストン１に部分的であるとはいえ、その表面にメッキを施すものであるから、少なくともメッキ層が形成される部位を前処理しなければならない。この前処理としては、例えば脱脂、水洗、酸洗、水洗、アルカリエッチング、水洗、酸活性化、水洗、亜鉛置換、水洗、酸洗、水洗、亜鉛置換、水洗という工程を順次経るのが一般的である。従って、前述した各前処理工程を行なうために、それぞれの処理液を充填した槽を配列して、これら各槽に順次浸漬させる。ピストン１を搬送する手段は直列に並べた各槽の上部に設けられており、図９に示したように、ハンガー１０はこの搬送手段において、ピッチ送りと昇降動作とを行なうロッド３０に掛着される。ここで、ロッド３０はハンガー１０を安定的に保持するために、断面が四角形とするのが望ましい。
【００３６】
前述した前処理を行った後に、図１０に示したように、メッキ槽３１内でピストン１の摺動面３ａに鉄メッキを施す。メッキ槽３１には電解液が充填されると共に、陽極板３２，３２が電解液内に浸漬するように設けられている。また、ハンガー１０の搬送手段を構成する角棒状のロッド３０はメッキ槽３１の上部位置において、両陽極板３２，３２間の位置に配置される。そして、直流電源３３における陽極がこれら陽極板３２と接続され、陰極はメッキ槽３１にロッド３０が配置されたときに、このロッド３０にハンガ１０のフック１２と電気的に接続される。そして、陽極板３２とロッド３０との間に直流電流を流すことによって、ピストン１に対しては、そのスカート部３における摺動面３ａに限定して鉄メッキが施される。このように、メッキを施す際において、ピストン１を静止状態に保っても良いが、上下乃至左右に揺動しながらメッキすることもできる。
【００３７】
さらに、ピストン１にメッキ層が形成された後には、水洗、錫メッキ、水洗、乾燥の各工程からなる後処理が行なわれる。ここで、鉄メッキを行った後に錫メッキを行なうのは、ピストン１における摺動面３ａのシリンダに対する馴染みを良くするためのものであり、必ずしも後処理としての錫メッキを行なわなくても良い。
【００３８】
而して、前述した前処理の開始から後処理の終了までワークとしてのピストン１はハンガー１０に装着した状態となっている。つまり、前処理の開始前にピストン１をハンガー１０に装着し、後処理が終了した後にピストン１はハンガー１０から取り外される。ハンガー１０にはシールド部材２０が連結して設けられているが、このシールド部材２０の上部は開放されている。従って、ピストン１はハンガー１０の上部からシールド部材２０の内部に挿入するようにして装着することができる。また、メッキ処理が終了した後に、ハンガー１０からピストン１を取り出す際も、このピストン１を上方に持ち上げれば良い。そして、このピストン１の着脱を容易にするために、ハンガー１０におけるシールド部材２０を設けた部位の上部は開放状態となっている。従って、ピストン１のハンガー１０への着脱は極めて容易に行える。しかも、後述するように、ピストン１のうち、メッキを施さない部位にはマスキングテープ等を貼り付ける必要はないことから、メッキ処理を行なう準備作業も必要としないので、その分だけ手間や時間を節約できる。
【００３９】
ハンガー１０にピストン１を装着した状態では、このハンガー１０に連結して設けたシールド部材２０を構成する円筒部２１，２２の内面に対してピストン１は非接触状態で、全周にわたってほぼ均一な隙間が形成されるようになる。シールド部材２０はハンガー１０に固定的に設けられているので、ピストン１はハンガー１０に装着したときに、このハンガー１０に対して常に所定の位置関係となるように配置する必要がある。ピストン１は、そのピストンクラウン２の下面に当接するが、スカート部３の内面には４箇所において電極部１５ａが弾性的に当接するようになっている。しかも、これら各電極部１５ａは内向きに突出しているボス部４の両側に配置されることから、ピストン１をハンガー１０に装着するだけで、シールド部材２０に対して調芯がなされ、つまりピストン１とシールド部材２０との間の間隔が全周にわたってほぼ均一な状態となる。しかも、ピストン１の方向性も一定することになり、このピストン１におけるスカート部３の摺動面３ａは必ずシールド部材２０の開口２３に対面する位置に配置されることになる。そして、摺動面３ａのみが外部に露出しており、ピストンクラウン２及びボス部４はシールド部材２０によって覆われている。
【００４０】
ピストン１を装着したハンガー１０がメッキ槽３１内に浸漬され、陽極板３２とロッド３０との間に電流を流すと、ハンガー１０におけるフック１２とハンガー本体１１との間が通電用接点となり、かつ電極杆１５における電極部１５ａとピストン１との間も通電用接点となるので、ピストン１に通電されて、このピストン１の外表面にメッキ層が形成される。ピストン１のうち、摺動面３ａのみに均一な厚みのメッキ層が形成され、他の部位にはメッキされないようにする。ピストン１の全体がメッキ槽３１における電解液内に浸漬されている。また、摺動面３ａからボス部４への移行部等には段差があるために、この段差部の電流密度が高くなる。
【００４１】
ここで、ピストン１のうち、陽極板３２に直接対面するのは、摺動面３ａの部位だけであり、それ以外の部位と陽極板３２との間にはシールド部材２０が介在している。そこで、図２から明らかなように、上部側の円筒部２１の内面とピストン１におけるピストンリング溝５を設けた部位との間隔を、例えば概略２．５ｍｍとし、摺動面３ａへのメッキ厚を１５μｍ程度にする場合、メッキが施されるべき部位からメッキを施さない部位への移行部が約１０ｍｍ程度のものとなり、しかもこの移行部では連続的にメッキ層の厚みが減少していくことになる。勿論、この間隔をさらに小さくすれば、移行部の幅を狭くすることができるが、ピストン１においては、この程度の移行部が存在しても格別の問題とはならない。また、この間隔が２．５ｍｍ程度あれば、ピストン１のハンガー１０への着脱が極めて容易になる。ただし、移行部の幅をより狭くする必要があれば、シールド部材とワークとが密着状態とならないことを条件として、その間の間隔をより狭くすれば良い。また、ピストン１の着脱という点からは、５ｍｍ程度の間隔とする方が望ましい。ただし、そうするとメッキが施された領域とメッキが施されない領域との移行部の幅が多少大きくなる。要するに、シールド部材２０の内面とピストン１の外面との間隔が２．５ｍｍ〜５ｍｍ程度とすると、極めて精度の高い部分メッキが行なわれる。
【００４２】
また、摺動部３ａからボス部４への段差部や、摺動部３ａの下端部に電流密度が高くなるのを防止して、摺動部３ａの全体に均一な電流分布を生じさせるには、シールド部材２０における側部及び下部を部分的に摺動部３ａ上に数ｍｍ程度オーバーラップさせる。これによって、摺動部３ａ全体にわたって実質的に均等な電流分布が得られることになる。なお、シールド部材２０をどの程度オーバーラップさせるかは、摺動部３ａからボス部４への段差部や、摺動部３ａの下端部の形状、つまりエッジが存在するか、丸みを帯びているか等から適宜設定すれば良い。
【００４３】
前述のように、ワークであるピストン１の外面は何等の部材と接触させることなく、完全に露出した状態としているので、前処理段階において、例えば酸処理、アルカリ処理等を行う処理液は、それらの後に行われる水洗工程で完全に除去できることになり、メッキ槽３１内に導入したときには、前述した処理液は全く付着していない状態でメッキ処理を行なうことができる。従って、メッキ処理後のピストン１には不純物の付着がなくなり、外観上で好ましいだけでなく、腐食等の発生を抑制できる。
【実施例２】
【００４４】
次に、図１１乃至図１７に基づいて本発明の実施例２を説明する。なお、本実施例において、前述した実施例１と同一または均等な部材については、それと同一の符号を付して、その説明を省略する。本実施例においては、ハンガー４０に対して、ワークとしてのピストン１及びシールド部材６０を着脱可能に装着する構成としている。また、ピストン１及びシールド部材６０はハンガー４０に対して、例えば１５°〜３０°程度傾斜した状態にして保持されるようになっている。
【００４５】
図１１にハンガー４０の要部構成を示す。図中において、ハンガー４０は鉛直杆部４２と、この鉛直杆部４２の下端部に連結した支持部４３とから構成される。支持部４３は鉛直杆４２の下端部において、十文字形状となった板体からなる支持板４３ａ，４３ｂを有するものである。また、鉛直杆部４２の先端部は、前述した実施例１と同様、フック部４２ａとなっており、このフック部４２ａは搬送手段に設けられ、ピッチ送り及び昇降動作を繰り返し行うロッドに掛着されるようになっているが、その図示は省略する。
【００４６】
図１２及び図１３にも示されているように、支持板４３ａ，４３ｂの交差部には支柱４４が立設されている。そして、支柱４４の先端にはピストン受け４５と相対向するように配設した一対のピストン保持板ばね４６とが連結して設けられている。ピストン受け４５は、ピストン１のピストンクラウン２の内端面と当接するように、支柱４４への連結部の両端を９０°立ち上げるように曲折させたものである。また、ピストン保持板ばね４６は、所定の幅寸法を有する板ばねからなり、支柱４４への連結部の両端から斜め下方に向けて曲成し、最突出部４６ａから下方は内側に曲げられており、さらにその下部は外向きに曲成した折り返し部４６ｂとなっている。従って、最突出部４６ａはピストン１のスカート部３の内面に圧接されるばね力作用部であり、また折り返し部４６ｂはピストン１の下端部に対する逃げとして機能する。
【００４７】
鉛直杆部４２から見て、その前後方向に設けた支持板４３ａのほぼ両端部には位置決め・支持ピン４７がそれぞれ立設されており、また左右方向に設けた支持板４３ｂの両端部には、台座ピン４８が立設されており、これら支持ピン４７及び台座ピン４８とによってシールド部材６０は、ハンガー４０の支持部４３に着脱可能に支持されるようになっている。また、各台座ピン４８の取り付け位置にはシールド部材６０の外周面をクランプして保持するためのクランプ板ばね４９がそれぞれ連結して設けられている。このクランプ板ばね４９は、支持板４３ｂから真っ直ぐ立ち上がるようにして途中で内向きに曲成されており、その最内側端４９ａがシールド部材６０の外周面と当接するものであり、この最内側端４９ａより上方は外向きに曲成されており、この最内側端４９ａはシールド部材６０の外面をクランプするようにして保持するために設けられる。また、最内側端４９ａより上方の部位は外向きに曲成された曲成部４９ｂとなっており、この曲成部４９ｂはシールド部材６０の呼び込み部として機能するものである。
【００４８】
次に、シールド部材６０は、図１４乃至図１６に示したように、上部側が小径円筒部６１となり、下部側が大径円筒部６２となった段差付きのシールド本体６３を有し、このシールド本体６３の下端部には１８０°の位置関係に一対のフランジ部６４，６４が外向きに張り出すように設けられている。そして、これらのフランジ部６４には、図１４及び図１５から明らかなように、位置決め孔６５が穿設されており、これらの位置決め孔６５にはハンガー４０に設けた支持ピン４７の先端部分が挿入されるようになっている。
【００４９】
シールド部材６０の小径円筒部６１の内径はワークであるピストン１のピストンクラウン部２の外径より僅かに大きくなっており、具体的にはその間に２．５ｍｍ以下の径差を持たせている。また、大径円筒部６２の内径は、スカート部３の外径部より十分大径となっており、具体的にはその間に２０ｍｍ以上の径差がある。そして、小径円筒部６１から大径円筒部６２への移行部を含め、かつ大径円筒部６２の中間位置までには、所定の角度分以上にわたって開口６６が形成されている。開口６６は、フランジ部６４を延在させた部位に対して９０°の角度位置に２箇所形成されており、大径円筒部６２の外周部において、広い範囲にわたって、好ましくは概略４５°の角度分に及ぶようになっている。
【００５０】
ここで、支持ピン４７はシールド部材６０を位置決めするためのものであると共に、この支持ピン４７と段座ピン４８とによって、シールド部材６０が支持されるようになっている。  図１３から明らかなように、支持ピン４７は先端が球面形状となったロッド部４７ａの下部位置に大径となった台座部４７ｂが連設されており、この台座部４７ｂより下方の部位はねじ部４７ｃとなっている。そして、このねじ部４７ｃは支持板４３ａに固定して設けた軸部４７ｄに螺挿されており、ねじ部４７ｃと軸部４７ｄとの間には、高さ調整リング５０が介装されている。従って、ねじ部４７ｃの軸部４７ｄへの締め込み度合いを調整することによって、台座部４７ｂの高さ位置を調整されることになる。また、台座ピン４８は先端が平面形状となった台座部４８ａを有し、この台座部４８ａは軸部４８ｂの先端に螺挿させたものであり、台座部４８ａと軸部４８ｂとの間には高さ調整リング５１が介装されて、台座部４８ａの締め込み度合いを調整することによって、台座部４８ａの先端面の高さ位置を調整することができる。
【００５１】
従って、支持ピン４７の台座部４７ｂと、台座ピン４８の台座部４８ａにおける先端面の高さ位置を一致させることによって、シールド部材２０は、その大径円筒部６２の下面に当接することになる。しかも、２箇所設けた支持ピン４７はシールド部材６０の位置決め孔６５内に嵌入されることから、この間の径差を最小限のものとすることによって、シールド部材６０はハンガー４０に安定的に支持され、みだりに位置ずれするおそれはない。さらに、ハンガー４０には、相対向するようにクランプ板ばね４９が設けられており、このクランプ板ばね４９の最内側端４９ａが内向きに突出しているので、ハンガー４０にシールド部材６０を装着したときには、このシールド部材６０によりクランプ板ばね４９の最内側端４９ａが相互に離間することになり、もってシールド部材６０はクランプ板ばね４９，４９間に挟持された状態で固定される。
【００５２】
そして、ハンガー４０における支持部４３は、図１３に示したように、鉛直杆部４２に対して所定の角度θ、好ましくは１５°〜３０°程度傾いており、従ってこのハンガー４０に支持されているピストン１及びそれを覆うように装着したシールド部材６０が同様の角度傾いた状態となる。このために、図１７に示したように、メッキ槽３１にハンガー４０の鉛直杆部４２を鉛直状態にして垂下させると、陽極板３２の表面に沿う方向に向けて傾くことになる。また、このときに、シールド部材６０の開口６６は、その両側に位置する陽極板３２に対面するようになる。そして、ハンガー４０の全体は導電部材である金属で形成されており、かつ外面部は絶縁被覆されているが、ピストン１に給電を行うための接点となる鉛直杆部４２のフック４２ａと、ピストン保持板ばね４６におけるピストン１への接触部となる最突出部４６ａと、ピストン受け４５における立ち上がり部の端面４５ａの各部は絶縁被覆が剥離されて、通電用の接点として機能する。従って、これらピストン保持板ばね４６及びピストン受け４５における通電用の接点と当接すると共に、鉛直杆部４２は、実施例１における直流電源に接続したロッドに係合して、フック４２と電気的に導通することになる。
【００５３】
以上のように構成することによっても、前述した実施例１と同様に、ピストン１に対して、そのピストンクラウン部２を除いた部位に部分メッキを施すことができ、特にスカート部３の摺動面３ａ表面に対して均一な膜厚のメッキを行なうことができる。
【００５４】
そして、ハンガー４０及びそれに装着したピストン１とシールド部材６０とには、水平面となる部位が概ね存在しなくなるように傾斜させるようにすることによって、メッキ槽３１及び他の液処理槽にハンガー４０を浸漬させた後に、このハンガー４０を引き上げる際に、液は傾斜に沿って円滑に流れて、槽内に戻すことができる。従って、引き上げストローク端になると、例えばピストン１の上面における凹状に窪んだ部位等を含めて、ピストン１やシールド部材６０及びハンガー４０にメッキ液や他の処理液等が実質的に滞留することがなく、液切れが良好となる。その結果、液の持ち出しによるメッキ液や処理液の消費量を低減できると共に、次槽の汚損を抑制することができる。
【００５５】
また、ハンガー４０にはピストン１と、このピストン１に対して部分的に微小隙間を設けて嵌合させるように装着されるシールド部材６０とは、それぞれ個別的にハンガー４０に着脱できるようになっている。従って、ハンガー４０に対しては、そのハンガー４０における支柱４４にピストン１を支持させるようにして装着する。このときには、ピストン保持板ばね４６にピストン１を嵌合させることによって、このピストン１のスカート部３の最下端部がピストン保持板ばね４６の最突出端４６ａを変形させて、つまり相対向する位置に設けたピストン保持板ばね４６を相互に近接する方向に撓めながら挿入され、ピストン１のピストンクラウン部２内面が支柱４４の先端に設けたピストン受け４５に当接する位置まで押し込むことによって、ピストン１はピストン保持板ばね４６の作用により挟持された状態に保持される。
【００５６】
次に、シールド部材６０を前述のようにしてハンガー４０に装着したピストン１に嵌合するようにして装着する。シールド部材６０でピストン１をほぼ覆う状態になると、一対設けたクランプ板ばね４９，４９の曲成部４９ｂによりその下端部が呼び込まれるようになり、この曲成部４９ｂが外向きに拡開するように変形して、最内側端４９ａが相互に離間するようになる。そして、シールド部材６０に設けたフランジ部５４の位置決め孔５５内に支持ピン４７を挿入させる。これによって、シールド部材６０が位置決めされることになり、さらにシールド部材６０を押し込むと、支持ピン４７の台座部４７ｂ及び台座ピン４８の台座部４８ａにおける先端面上にピストン１の下端面が当接すると共に、両クランプ板ばね４９の最内側端４９ａにより挟持され、もってシールド部材６０がハンガー４０の支持部４０に固定的に保持される。
【００５７】
以上のようにしてハンガー４０にピストン１及びシールド部材６０が固定されことによって、ピストン１に対して部分メッキを行なうための各槽内に順次浸漬させるに当って、ピストン１及びシールド部材６０がみだりに位置ずれするおそれはない。
【００５８】
そして、ピストン１に対するメッキ処理が終了すると、ハンガー４０からまずシールド部材６０を取り外すことによって、部分メッキされたピストン１を容易にハンガー４０から脱着することができ、この作業を行なっている間に、ピストン１に他の部材が衝突して損傷させる等のおそれはない。
【図面の簡単な説明】
【００５９】
【図１】本発明の部分メッキを施すために用いた評価用治具の構成説明図である。
【図２】シールド部材とワークとの間隔に応じて、シールド部材の端部近傍に形成されるメッキ層の厚みの変化を示す線図である。
【図３】本発明におけるワークの正面図である。
【図４】図３のＡ−Ａ断面図である。
【図５】図４のＢ−Ｂ断面図である。
【図６】図３のＣ−Ｃ断面図である。
【図７】本発明の実施例１におけるメッキ処理を行なうためのハンガーの外観図である。
【図８】図７のハンガーにシールド部材を設けた状態を示す外観図である。
【図９】ハンガーにシールド部材を設け、かつワークとしてのピストンを装着した状態を示す部分断面正面図である。
【図１０】実施例１において、ピストンに部分メッキを行なっている状態を示す構成説明図である。
【図１１】本発明の実施例２におけるメッキ処理を行なうためのハンガーの概観図である。
【図１２】実施例２のハンガーにワークとシールド部材とを装着した状態を示す断面図である。
【図１３】図１２のＤ−Ｄ断面図である。
【図１４】実施例２におけるシールド部材の平面図である。
【図１５】図１４のＥ−Ｅ断面図である。
【図１６】図１４のＦ−Ｆ断面図である。
【図１７】実施例２において、ピストンに部分メッキを行なっている状態を示す構成説明図である。
【符号の説明】
【００６０】
１  ピストン      ２  ピストンクラウン
３  スカート部      ３ａ  摺動面
４  ボス部      ５  ピストンリング溝
１０，４０  ハンガー      １１  ハンガー本体
１２  フック      １３  絶縁チューブ
１４  支持杆      １５  電極杆
１５ａ  電極部      ２０，６０  シールド部材
２１，２２  円筒部      ２３，６６  開口
３０  ロッド      ３１メッキ槽
３２  陽極板      ３３  直流電源
４２  鉛直杆部      ４３  支持部
４５  ピストン受け      ４６  ピストン保持板ばね
４７  支持ピン      ４８  台座ピン
６１  小径円筒部      ６２  大径円筒部
６３  シールド本体      ６４  フランジ部
６５  位置決め孔
【図１】
2004190128.tif 000003
【図２】
2004190128.tif 000004
【図３】
2004190128.tif 000005
【図４】
2004190128.tif 000006
【図５】
2004190128.tif 000007
【図６】
2004190128.tif 000008
【図７】
2004190128.tif 000009
【図８】
2004190128.tif 000010
【図９】
2004190128.tif 000011
【図１０】
2004190128.tif 000012
【図１１】
2004190128.tif 000013
【図１２】
2004190128.tif 000014
【図１３】
2004190128.tif 000015
【図１４】
2004190128.tif 000016
【図１５】
2004190128.tif 000017
【図１６】
2004190128.tif 000018
【図１７】
2004190128.tif 000019